(57)【要約】【課題】建設現場の作業のように様々な影響により工数変動する作業の進捗を計画的にかつ、遅れることなく把握でき、適正な進捗管理を行うことが可能となる作業進捗管理支援方法およびシステムを提供する。【解決手段】少なくとも実績入力端末からなるクライアントと、作業プロジェクトの計画データを保有するサーバとをネットワークにて接続し、前記クライアント側ではサーバヘの作業実績値の入力、および分析結果の閲覧を可能とし、前記サーバはプロジェクトの前記クライアントから入力された実績データと保有している計画データの比較から進捗率を算出する演算処理手段並びに算出した結果に基づく分析処理手段を有し、前記クライアントに情報入力を促す表示並びに分析結果の表示を前記ネットワークを経由して閲覧可能とするウェブページ表示手段を備えた。【選択図】　　　　図１
2004005237.tif 000002
【特許請求の範囲】
【請求項１】
作業プロジェクトの計画データを保有するサーバ側で実績入力端末を含むクライアントに対して実績データの入力を促し、入力された実績データと計画データから進捗率を演算し、前記クライアント側で前記演算結果を出力表示可能としてなることを特徴とする作業進捗管理支援方法。
【請求項２】
前記計画データに基づいて工程とリンクして表示された三次元ＣＡＤ画像に対し、実績データに基づいて作製された前記三次元ＣＡＤ画像と同様の画像に着色表示することにより、前記演算結果として着色情報により前記進捗率を出力表示可能としてなることを特徴とする請求項１記載の作業進捗管理支援方法。
【請求項３】
少なくとも実績入力端末からなるクライアントと、作業プロジェクトの計画データを保有するサーバとをネットワークにて接続し、前記クライアント側ではサーバヘの作業実績値の入力、および分析結果の閲覧を可能とし、前記サーバは前記クライアントから入力されたプロジェクトの実績データと保有している計画データから進捗率を算出する演算処理手段並びに算出した結果に基づく分析処理手段を有し、前記クライアントに情報入力を促す表示並びに分析結果の表示を前記ネットワークを経由して閲覧可能とするウェブページ表示手段を備えたことを特徴とする進捗管理支援システム。
【請求項４】
請求項３の進捗管理支援システムにおいて、ネットワークを経由し、進捗管理者が進捗を判定する日を予め設定する機能を有し、進捗判定日前に実績データの登録を促すウェブページ生成手段を備えていることを特徴とする進捗管理支援システム。
【請求項５】
請求項３の進捗管理支援システムにおいて、前記実績入力端末は、実績の登録手段として現場画像に色を重ねて着色する手段を備えてなること特徴とする進捗管理支援システム。
【請求項６】
請求項３の進捗管理支援システムにおいて、前記演算処理手段は、作業の進捗に応じた機器の設置状態や作業点の状況が色で判別され、この色が工程とリンクして変化する三次元ＣＡＤ計画情報を利用し、この三次元ＣＡＤ計画情報の中の色情報と三次元ＣＡＤと同一視点となる点から撮影した実績の現場画像に上記三次元ＣＡＤと同じ定義により着色された色情報から作業進捗率を算出させるようにしていることを特徴とする進捗管理支援システム。
【発明の詳細な説明】
【０００１】
【発明の属する技術分野】
本発明は作業進捗管理支援方法およびシステムに係り、特に建設現場等における作業の進捗管理をネットワーク利用により支援するための作業進捗管理支援方法およびシステムに関する。
【０００２】
【従来の技術】
一般に、建設現場の作業は、天候条件、作業場所の空間的条件の違いによる作業効率の変化、更には作業員の技量等の様々な要因により工数の変動があり、当初計画の進捗に遅延等のずれが生じることがある。現場管理者はこのような遅延を早期に発見し、作業者の追加投入や資材の納期見直し等、遅延発生原因に応じた対策を立てる等の進捗管理を行う。
このような作業の進捗状態を管理するシステムとして、特開２０００−３９９０４号公報に記載されているようなプロジェクトの管理方法が知られている。
【０００３】
【発明が解決しようとする課題】
しかし、公報に記載のシステムはプロジェクトの進捗を定量的な工数として入力する必要がある。また、上記公報に記載の実施例のように、ソフトウェア開発等のコンピュータに接して作業を行っている場合、作業の実施と実績の登録が同一コンピュータで連動し、リアルタイムに登録することもできるが、建設現場の場合、作業の進捗が日報や週報等で管理され、一つ一つの部品や作業点毎の出来高がリアルタイムにはあがらず、あるタイミングでまとめて登録される場合がある。更に、実績の登録者と進捗管理者は別であることもあり、実績登録が適正に行われているかどうかを進捗管理者が判断することが難しく、実績登録のタイミングが遅れると進捗遅延の発見が遅れてしまう場合があった。また、前記従来システムは、評価を工数で行っているため、建設に利用した場合、作業の進捗と工数の関係が不明確な場合、作業進捗の遅れが即、無駄な工数の投与につながってしまう可能性がある。
【０００４】
本発明は、このような事情に鑑みて成されたもので、前記従来技術の欠点を解消し、建設現場の作業のように様々な影響により工数変動し、かつ、生産ラインのように実績の情報収集がリアルタイムに行えないような作業のプロジェクト管理に関して、作業の進捗を計画的にかつ、遅れることなく把握でき、適正な進捗管理を行うことが可能となる作業進捗管理支援方法およびシステムの提供を目的としている。
【０００５】
【課題を解決するための手段】
上記目的を達成するために、本発明に係る作業進捗管理支援方法は、作業プロジェクトの計画データを保有するサーバ側で実績入力端末を含むクライアント（実績入力端末もしくは作業進捗管理端末）に対して実績データの入力を促し、入力された実績データと計画データから進捗率を演算し、前記クライアント側で前記演算結果を出力表示可能としてなることを特徴としている。この場合、前記計画データに基づいて工程とリンクして表示された三次元ＣＡＤ画像に対し、実績データに基づいて作製された前記三次元ＣＡＤ画像と同様の画像に着色表示することにより、前記演算結果として着色情報により前記進捗率を出力表示可能にすればよい。
【０００６】
また、本発明に係る作業進捗管理支援システムは、少なくとも実績入力端末からなるクライアントと、作業プロジェクトの計画データを保有するサーバとをネットワークにて接続し、前記クライアント側ではサーバヘの作業実績値の入力、および分析結果の閲覧を可能とし、前記サーバは前記クライアントから入力されたプロジェクトの実績データと保有している計画データから進捗率を算出する演算処理手段並びに算出した結果に基づく分析処理手段を有し、前記クライアントに情報入力を促す表示並びに分析結果の表示を前記ネットワークを経由してブラウザ等で閲覧可能とするウェブページ表示手段を備えたことを特徴としている。
【０００７】
そして、前記進捗管理支援システムにおいて、ネットワークを経由し、進捗管理者が進捗を判定する日を予め設定する機能を有し、進捗判定日前に実績データの登録を促すウェブページ生成手段を備えるように構成することが望ましい。また、前記実績入力端末は、実績の登録手段として現場画像に色を重ねて着色する手段を備えるようにしてもよい。更に、前記演算処理手段は、作業の進捗に応じた機器の設置状態や作業点の状況が色で判別され、この色が工程とリンクして変化する三次元ＣＡＤ計画情報を利用し、この三次元ＣＡＤ計画情報の中の色情報と三次元ＣＡＤと同一視点となる点から撮影した実績の現場画像に上記三次元ＣＡＤと同じ定義により着色された色情報から作業進捗率を算出させるようにすればよい。
【０００８】
【発明の実施の形態】
以下に、本発明に係る作業進捗管理支援方法およびシステムの具体的実施の形態を、図面を参照しつつ、詳細に説明する。
この発明は、プロジェクト計画時のデータとして、工程とその工程に対応する作業完了予定量をデータベースとして保有し、進捗を評価する段階で評価時の実績と上記計画値とを比較し、計画時の作業完了量に対する実績の作業完了量の比率を作業の進捗率として定義し、進捗管理を行うようにしたものである。また、それぞれの進捗を判定する日を予め設定する機能を有し、進捗判定日前に実績データの登録を促すようにしている。これらはネットワークを経由してウェブページ画面にて行うことができる。これにより情報の登録漏れや管理遅れを防ぎ、また、実績の管理者と進捗の管理を行う進捗管理者とが別であっても容易にデータ統合ができ、プロジェクトの適正な管理を行えるようにしたものである。
【０００９】
また、作業の進捗率に対応する実績の作業量は、建設現場等では細かな作業工程単位で管理することが難しい場合もあり、全工程が完了するまで出来高があがらず、実績の登録が遅れてしまうことがある。これに対応するため、作業の進捗に応じた機器の設置状態や作業点の状況が色でわかり、この色が工程とリンクして変化する三次元ＣＡＤ計画情報を利用し、この三次元ＣＡＤ計画情報の中の色を用いて進捗判定を行うようにしたのである。判定方法としては、三次元ＣＡＤ上の色情報と比較する対照として三次元ＣＡＤと同一視点となる点から撮影した実績の現場画像を準備し、これに対して実績管理者が三次元ＣＡＤ上に示した色と同様の配色にて進捗を記載するようにしている。前記三次元ＣＡＤ計画情報と色情報が追記された現場画像から、それぞれで同じ色の情報を画像処理にて比較することで作業進捗率を算出することができる。現場画像を用いることによって，現地の情報を正しく把握することができ、また、記録として取得する画像をそのまま進捗管理にも利用できるメリットがある。
【００１０】
図１は、実施形態に係る進捗管理支援システムの構成概要図である。当該システムはいわゆるクライアントサーバシステムとして構築されている。すなわち、進捗の分析を行うためのコンピュータからなるサーバ１０と、クライアントとして各種作業の実績を入力して登録する複数のコンピュータからなる実績入力端末１２Ａ、１２Ｂ、並びに作業の進捗を管理する進捗管理者が用いるコンピュータから構成された作業進捗管理端末１２Ｃ（以下、これらをクライアント１２と称する。）とが、データ通信ネットワーク１４にて結ばれている。当該システムにおいて、実績登録者と進捗管理者が使用する端末１２Ａ、１２Ｂと、１２Ｃとは同一でもよいため、２つの機能を合わせもつこととする。
【００１１】
前記サーバ１０は、プロジェクトの計画データを保有し、実績と計画の比較から進捗率を算出する機能を備え、また、情報の入力をクライアント１２に定期的に促すとともに、分析結果の表示を、データ通信ネットワーク１４を経由してブラウザ等で閲覧可能なウェブページ形式で表示する機能を備えている。一方、クライアント１２側では、サーバ１０ヘの情報入力や実績登録、およびサーバ１０から提供された分析結果の閲覧を行う。したがって、サーバ１０およびクライアント１２は、共に、演算処理本体を備える他、情報入力手段、記憶手段、表示手段、並びにデータ送受信手段を有している。
【００１２】
図２は、本実施形態に係るシステムにおけるデータの流れと、サーバ１０とクライアント１２間での機能を実現する手段の関連を示した構成図である。まず、クライアント１２側には、ウェブブラウジング機能部１６を有し、サーバ１０から発信される情報を表示手段にて閲覧できるように出力する情報閲覧部１８を備えている。これは、ウェブページを閲覧するためのアプリケーションソフトにより、サーバ１０からのＨＴＭＬファイル形式や画像ファイル形式で伝送されてくるデータをレイアウト解析して表示・再生するものである。また、閲覧したウェブページから進捗判定日の登録や予めクライアント１２側に格納してある実績情報の登録を行うデータ入力部２０、およびデジタルカメラ２１により撮像した現場画像情報や実績データなどを格納している記憶手段２２、並びに記憶手段２２に格納されているデータをサーバ１０に転送するファイル転送部２４を備える。
【００１３】
これに対し、サーバ１０側にはプロジェクトの工程表、この工程表に対応した作業完了予定量、および三次元ＣＡＤデータ等を保有する計画データ格納部２６、クライアント１２から送られてきた実績データを格納する実績データ格納部２８、進捗の判定を行う日のスケジュールデータを格納する進捗管理用データ格納部３０を備える。そして、サーバ１０はウェブページ発信機能部３２を有し、クライアント１２からデータを受けるデータ受信部３４、受け付けたデータに基づき進捗判定日のスケジュールを登録する進捗判定日スケジュール部３６、登録された進捗判定日前に実績登録の入力要求をなすウェブペ一ジを作成するための実績登録要求部３８、進捗判定結果を表示する進捗結果表示部４０を備える。この進捗結果表示部４０には進捗判定演算処理部４２が接続されており、ここでは入力された実績データと計画データとの比較により進捗率を演算し、またこの進捗率に基づいた各種加工データを演算するようにしている。この演算した結果およびその加工データは、進捗結果表示部４０を通じて前記クライアント１２に対し出力表示可能としている。特に、本実施形態では、計画データに基づいて、工程とリンクして表示された三次元ＣＡＤ画像に対し、実績データに基づいて前記三次元ＣＡＤ画像に着色表示することにより演算結果の加工データとして色情報により前記進捗率を出力表示可能としているため、進捗状況の把握が容易になる。このため、画像処理手段４４により計画値に対する実績の進捗率として、実績データ現場画像情報を算出する機能を備える。また、加工データとして、進捗率を把握し易くしたグラフのデータを含む。
【００１４】
次に実施形態に係る作業進捗管理システムを用いた管理方法につき、建設プロジェクトの進捗管理を実施する実施手順に適用した場合について説明する。図３にプロジェクト管理実施手順の一実施例を示す。進捗管理者はクライアント端末１２からサーバ１０に接続する（ステップ１００）。はじめに、進捗の判定を行う日時をデータとして登録しておく（ステップ１０２）。これには作業エリア毎の計画工程から進捗管理エリアを選定し（ステップ１０４）、サーバ１０側に送る。サーバ１０側では進捗管理エリアを対象とした計画工程を計画データ格納部２６から抽出し（ステップ２００）、進捗判定日人力画面を生成して（ステップ２０２）スケジュールを設定させる。これは進捗管理者側での進捗判定日を入力させるとともに（ステップ１０６）、これを受けてサーバ１０側では進捗判定日を記録することで行われる（ステップ２０４）。スケジュールはどのような間隔で設定してもよく、随時、追加・変更ができ、工程表から任意に設定する。サーバ１０側では選定されたエリアと進捗判定日時が記載された計画工程データから、進捗判定日前に実績登録を指示する画面を生成する（ステップ２０６）。
【００１５】
実績登録指示画面の例を図４に示す。実績登録者は実績登録指示があった場合、図の例のようにして三次元ＣＡＤのエリア図５０と同一アングルにて取得したデジタルカメラ２１による現場画像５２を用い、実績登録を行う。実績登録者は、図３に示しているように、サーバ１０に接続し（ステップ３００）、実績登録の指示の有無を確認する（ステップ３０２）。指示があった場合、画像のファイルの中から現場画像５２を選択し（ステップ３０４）、この選択された現場画像５２に対し、作業対象とする部品や作業点毎の進捗を予め決められた色を重ねて着色する（ステップ３０６）。図４に示した例では対象配管（スプールＮｏ．７１４５）の吊り下げ完了として、例えば吊り下げ完了を示す黄色に着色して登録する。作業点の一つである開先ポイントＮｏ．７１４４−１では溶接される部材の位置決めが未完である意味の例えば桃色を着色する。以下同様にして対象エリア内の全ての作業に着色処理をし、その画像をデータ転送（ステップ３０８）によりサーバ１０に登録する。
【００１６】
登録された画像データはサーバ側で実績データとして格納され（ステップ２０８）、次に進捗の算出処理が行われる（ステップ２１０）。進捗率算出の詳細な実施フローを図５に、進捗率算出方法の概略を図６に示す。作業の進捗を判定する方法例として、上記で登録された実績の画像データを選定し（ステップ４００）、この中から進捗を表す色情報のみを抽出する（ステップ４０２）。これを画像処理等により特定色の色数をカウントし（ステップ４０４）、色の示す作業の進捗実績とする（ステップ４０６）。これを画像上に存在する色の種類だけ繰り返す（ステップ４０８）。次に、対象エリアの三次元ＣＡＤ画像５０を計画データから抽出し、その中から、特に進捗管理対象となる機器の進捗判断日における据付状態を表示する部分を三次元ＣＡＤ画像から抽出する（ステップ４１０）。三次元ＣＡＤ上には、予め部品や作業点毎の進捗を示す色情報が加えられているので、これに対し、実績データと同様の方法にて計画値を算出する。すなわち、特定色の色数をカウントし（ステップ４１２）、色の示す作業の進捗実績とする（ステップ４１４）そして、上記により算出された実績値と計画値から各作業の進捗を算定する。
【００１７】
本例では進捗率としては下記（１）式のようにして算出する。
【数１】
2004005237.tif 000003
上記式１により、作業の進捗率を過去の時点での進捗率と併せてグラフ等にて出力し、サーバ側でＷｅｂペ一ジを生成する。
進捗管理者は、進捗判定結果を示した上記Ｗｅｂペ一ジをネットワーク経由にて閲覧することで、実績登録の指示をすることなく適正な進捗状況を把握できるようになる。
【００１８】
以上の進捗管理支援システムにより、プロジェクト管理者は適正なプロジェクト管理を行うことが可能となる。
このように本実施形態では、作業プロジェクトの計画データを保有するサーバ１０から実績入力端末を含むクライアント１２に対して定期的に入力を促し、作業の進捗に応じた機器の設置状態や作業点の状況を色で判別されるように現場の画像に着色させる。この実績データに対し、色が工程とリンクして変化する三次元ＣＡＤ計画情報を利用し、この三次元ＣＡＤ計画情報の中の色情報と三次元ＣＡＤと同一視点となる点から撮影した実績の現場画像に上記三次元ＣＡＤと同じ定義により着色された色情報から作業進捗率を算出させるようにしているので、進捗管理が視覚的にも判定しやすく、かつ着色情報から進捗率を算出することができるので、簡潔かつ適正な進捗管理を行わせることができる。
【００１９】
【発明の効果】
以上説明したように、本発明によれば、進捗管理のスケジュールを予め決めることにより、システム側から実績登録の指示がなされることで実績登録漏れをふせぐことができる。また、進捗の判断が工数等の定量的に数値として登録できない建設作業においても、現場の画像情報に進捗を表す色情報を重ねて進捗の登録ができ状況把握が容易となる。更に、この色情報と予め計画されている予定の進捗も三次元ＣＡＤ上同様の色情報にて進捗情報を登録してあるため、両者を比較することで適正な進捗率を算出できるようになる。これをもとに進捗率をグラフ等でビジュアル化し、これがホームページ形式で自動生成されるため、管理者はみずから計算等することなく、適正な進捗管理を行うことが可能となり、遅れが発生した場合、迅速に対策が立てられるようになる。
【図面の簡単な説明】
【図１】本実施形態に係わるシステム全体構成の概略を示したものである。
【図２】実施形態に係わるシステムのデータおよび機能の関連を示した構成図である。
【図３】本実施形態に係わる本システムを用いて進捗管理を行う際の実施フローである。
【図４】本実施形態に係わる実績登録指示画面の一例を示した説明図である。
【図５】本実施形態に係わる図３の例の中から特に進捗率算出部について詳細の実施例を示した説明図である。
【図６】本実施形態に係わる作業進捗率の算出方法の一例を示した説明図である。
【符号の説明】
１０………サーバ、１２………クライアント、１２Ａ、１２Ｂ………実績入力端末、１２Ｃ………作業進捗管理端末、１４………データ通信ネットワーク、１６………ウェブブラウジング機能部、１８………情報閲覧部、２０………データ入力部、２１………デジタルカメラ、２２………記憶手段、２４………ファイル転送部、２６………計画データ格納部、２８………実績データ格納部、３０………進捗管理用データ格納部、３２………ウェブページ発信機能部、３４………データ受信部、３６………進捗判定日スケジュール部、３８………実績登録要求部、４０………進捗結果表示部、４２………進捗判定演算処理部、４４………画像処理手段、５０………エリア図、５２………現場画像
【図１】
2004005237.tif 000004
【図２】
2004005237.tif 000005
【図３】
2004005237.tif 000006
【図４】
2004005237.tif 000007
【図５】
2004005237.tif 000008
【図６】
2004005237.tif 000009